(57)【特許請求の範囲】
【請求項１】
管本体と、配管用ＩＣタグ取付具によって取り付けられたＩＣタグとを備えた配管であって、
前記配管用ＩＣタグ取付具は、
前記管本体の外周を囲繞してこの管本体を把持する把持部材と、
この把持部材に設けられた前記ＩＣタグを配置する配置部と、
前記配置部に前記ＩＣタグを固定する固定部とを備え、
前記配管用ＩＣタグ取付具は、その外面が防食テープで完全に被覆されていることを特徴とする配管。
【請求項２】
ＩＣタグを配管の管本体に取り付けるための配管用ＩＣタグ取付具であって、
前記管本体の外周を囲繞してこの管本体を把持する把持部材と、
この把持部材に設けられた前記ＩＣタグを配置する配置部と、
前記配置部に前記ＩＣタグを固定する固定部とを備え、
前記把持部材は環状に形成されてその一部に切断部を有し、
前記固定部は、環状に形成されてその一部に開口部を有するとともに、その内周面が前記把持部材の外周面に当接するように、前記ＩＣタグを前記把持部材との間に挟んだ状態で前記把持部材に嵌着できるよう配置されることを特徴とする配管用ＩＣタグ取付具。
【請求項３】
請求項２に記載の配管用ＩＣタグ取付具であって、
前記配置部は、前記把持部材の内面から径方向外方へ３ｍｍ以上離間した面に設けられていることを特徴とする配管用ＩＣタグ取付具。
【請求項４】
請求項２又は３に記載の配管用ＩＣタグ取付具であって、
前記固定部は、前記配置部に対応する位置において３ｍｍ以上の厚さ寸法を有することを特徴とする配管用ＩＣタグ取付具。
【発明の詳細な説明】
【技術分野】
【０００１】
本発明は、配管にＩＣタグを取り付けるための配管用ＩＣタグ取付具に関する。
【背景技術】
【０００２】
一般に、水道管等の本管の改修工事をする場合には、本管の工事中に断水するのを回避するために改修が行われる部分に仮設配管を用いて一時的なバイパスを組んで行われている（例えば下記特許文献１）。仮設配管は、本管工事の期間中に水道水等を引き込む役割を果たした後、従来は廃棄されていたが、近年の廃棄物の削減及び資源保護の要請から、繰り返し利用されている。
使用済みの仮設配管を再利用するにあたっては、本管の寸法に適合するもの、衛生的に洗浄されかつ耐久性を保持しているものであること等、所定の基準をクリアした配管により生活用水等を安全に配水できることが必要である。したがって、衛生面及び使用頻度等を含む各仮設配管の諸情報を効率的に管理することが求められる。この配管に関する情報管理には、ＩＣタグを防食テープで配管に貼着したり、ＩＣタグを配管に吊下させたりして、読取り及び書込み可能な端末で配管に関する情報を都度ＩＣタグに記録していく方法が考えられる。
【先行技術文献】
【特許文献】
【０００３】
【特許文献１】特開２００９−２５０４０７号公報
【発明の概要】
【発明が解決しようとする課題】
【０００４】
ところで、仮設配管は、地中に埋設して用いられるものであるため、ＩＣタグは、配管から剥がれないように確実に取り付けられている必要があるとともに、配管を埋設している土による圧迫，地中に流れ込む雨水や土石等による損傷、又は洗浄時の殺菌水や摩擦等から保護されなければならない。
しかし、防食テープで貼着したり配管に吊下したりするだけでは雨水や摩擦等の損傷からＩＣタグを十分に保護し切れない場合があるという問題があった。
また、ＩＣタグを配管に吊下して添付する場合、配管の埋設作業の邪魔になり、又は地面を掘削して地中から配管を取り出す際にＩＣタグに配慮するのが面倒で、仮設配管の敷設及び撤去作業の効率を低下させるという問題があった。
そこで、本発明は、上記問題に鑑みてＩＣタグを適切に保護することができるとともに、配管への取り付けが簡便かつ確実な配管用ＩＣ取付具を提供することを課題とする。
【課題を解決するための手段】
【０００５】
請求項１の発明は、ＩＣタグを配管に取り付けるための配管用ＩＣタグ取付具であって、前記配管の外周を囲繞してこの配管を把持する把持部材と、この把持部材に設けられた前記ＩＣタグを配置する配置部と、前記把持部材に形成され、前記配置部に前記ＩＣタグを固定する固定部とを備えていることを特徴とする。
本発明では、把持部材により配管用ＩＣタグ取付具が配管に確実にかつ簡便に固定されるとともに、ＩＣタグを固定部により把持部材に確実に固定することができる。
請求項２の発明は、請求項１に記載の配管用ＩＣタグ取付具であって、前記把持部材は環状に形成されてその一部に切断部を有し、前記固定部は、環状に形成されてその一部に開口部を有するとともに、前記把持部材の外周面に前記ＩＣタグを中に挟んだ状態で嵌着できるよう配置されることを特徴とする。
本発明では、切断部において把持部材を拡開させて該把持部材を簡便に配管に固定することができる。また、開口部において固定部を拡開させて該固定部を簡便に把持部材に固定することができる。また、ＩＣタグを把持部材と固定部との間に挟んで固定するため、ＩＣタグをより確実に保護することができる。
請求項３の発明は、請求項１又は２に記載の配管用ＩＣタグ取付具であって、前記配置部は、前記把持部材の内面から径方向外方へ３ｍｍ以上離間した面に設けられていることを特徴とする。
本発明では、配置部は、前記把持部材の内面から径方向外方へ３ｍｍ以上離間した面に設けられているため、配管が金属製である場合であっても、ＩＣタグからの情報の読取又は書込み時に金属管を不用意に干渉させることなく、情報の読取又は書込みを適切に行うことができる。
請求項４の発明は、請求項１〜３のいずれか１項に記載の配管用ＩＣタグ取付具であって、前記固定部は、前記配置部に対応する位置において３ｍｍ以上の厚さ寸法を有することを特徴とする。
本発明では、固定部は、前記配置部に対応する位置において３ｍｍ以上の厚さ寸法を有するため、配管用ＩＣタグ取付具の周辺に金属部材が配置されていても、ＩＣタグからの情報の読取又は書込み時に前記金属部材を不用意に干渉させることなく、情報の読取又は書込みを適切に行うことができる。
【発明の効果】
【０００６】
本発明に係る配管用ＩＣタグ取付具によれば、配管に簡便かつ確実に固定されるとともに、ＩＣタグを確実に保護することができるという効果を奏する。
【図面の簡単な説明】
【０００７】
【図１】は、本発明の一実施形態として示した配管用ＩＣタグを示した斜視図である。
【図２】は、本発明の一実施形態として示した配管用ＩＣタグに防食テープを貼着させた状態を示す正面図である。
【図３】は、本発明の一実施形態として示した配管用ＩＣタグが取り付けられた配管が、複数載置された状態示す説明図である。
【図４】は、本発明の一実施形態として示した配管用ＩＣタグの変形例を示す斜視図である。
【図５】は、本発明の一実施形態として示した配管用ＩＣタグの変形例を示す斜視図である。
【発明を実施するための形態】
【０００８】
以下、図を参照して本発明の実施形態について説明する。
図１は、本発明の一実施形態として示した配管用ＩＣタグ取付具１Ａが、例えば内孔部２ｔに上水やガス等を流動させる配管２に取り付けられた状態を示す図である。
図１に示すように、配管用ＩＣタグ取付具１Ａの取り付け対象となる配管２は、液体や気体等を流動させる管本体３と他の配管２との接合部となる継手部４とを有している。
【０００９】
配管用ＩＣタグ取付具１Ａは、環状に形成された内側リング５と環状に形成された外側リング６とを備えている。
内側リング５は、管本体３の外周を囲繞して管本体３を把持する把持部材となるものであり、拡開して管本体３に嵌着するための切断部７を有している。
この内側リング５の外表面５ａは、ＩＣタグ９の配置部Ｔとなっている。この外表面５ａは、樹脂製の配管２に取り付けられる場合には特に限定されないが、金属製の配管２や金属製ボールバルブ（不図示）に取り付けられることを考慮して、少なくとも配置部Ｔにおいては、内側リング５の内面５ｂから径方向外方へ３ｍｍ以上離間した面に設けられている。すなわち、内側リング５の厚さ寸法は、少なくとも配置部Ｔにおいて３ｍｍ以上とされている。また、内側リング５の幅寸法は、ＩＣタグ９全体を覆い得る寸法以上となるように形成されている。
内側リング５の材質としては、弾性変形及び弾性復帰可能で絶縁性を有するものであればよく、塩化ビニル，ポリエチレン等の合成樹脂材料等が好適に用いられる。
【００１０】
外側リング６は、内側リング５の外周面５ａに嵌着されて内側リング５との間にＩＣタグ９を挟み込んで固定する固定部となるものであり、拡開して内側リング５に嵌着するための開口部８を有している。
この外側リング６の厚さ寸法は、ＩＣタグ９の近傍に金属製の配管２や金属部材が載置され得ることを考慮して、少なくとも配置部Ｔに対向させる位置において３ｍｍ以上に形成されていることが望ましい。また、外側リング６の幅寸法は、ＩＣタグ９全体を覆い得る寸法以上に形成されている。
外側リング６の材質としては、弾性変形及び弾性復帰可能で絶縁性を有するものであればよく、塩化ビニル，ポリエチレン等の合成樹脂材料等が好適に用いられる。
【００１１】
ＩＣタグ９は、配管２に関連する情報をＩＣタグ読取り／書込み端末により非接触で記憶する情報記録媒体となるものであり、板状の矩形形状の小片に形成された可撓性のあるシリコン製ＩＣタグが用いられる。
図２に示すように、本実施形態の配管用ＩＣタグ取付具１Ａの表面には、内側リング５及びと外側リング６とを完全に被覆するように防食テープ１１が周方向に貼着されている。
【００１２】
配管２の寸法、製造年月日、使用日時、使用頻度、使用期間、洗浄の有無、検品等、ＩＣタグ９に記憶された情報の読み取りや新たな情報の書き込みは、不図示の読取／書込端末を用いて行われる。
前記読取／書込端末により得られた配管２に関する情報は、読取／書込端末自体に設けられたメモリ、アプリケーション及び表示部により必要な情報を表示して確認できるようにしたものか、パソコン等の管理装置（不図示）に有線又は無線で接続して、該管理装置により表示及び管理できるようにしたものか、又はその双方を備えたものにより管理される。  
【００１３】
次に、配管用ＩＣタグ取付具１Ａの使用方法について説明する。
配管用ＩＣタグ取付具１ＡによりＩＣタグ９を配管２の管本体３に取り付けるに際しては、図１に示す内側リング５の切断部７の端縁７ａ，７ａを互いに離間させて内側リング５を拡開させるように弾性変形させ、管本体３の外周面３ａに内側リング５の内周面５ｂを当接させた際に弾性復帰させて管本体３に嵌着させる。
そして、ＩＣタグ９を内側リング５の外周面５ａの配置部Ｔ上に仮止めする。そして、外側リング６をその開口部８を拡開させるように弾性変形させ、内側リング５の外周面５ａに外側リング６の内周面６ｂを当接させた際に弾性復帰させて、該外側リング６を内側リング５に嵌着させる。
更に、図２に示すように、配管用ＩＣタグ取付具１Ａの全体を被覆するように防食テープ１１を周方向に貼着し、図１に示す内側リング５と外側リング６との間に水、土石又は虫その他の物が入り込まないようにする。
このようにして、配管用ＩＣタグ取付具１Ａの配管２への取り付けが完了する。
【００１４】
配管用ＩＣタグ取付具１Ａが取り付けられた配管２は、図３に示すように、倉庫等の配管２の保管場所に複数積み上げられたり、配管２の施工現場において資材置き場に複数重ねられた状態で載置される。この状態で前記読取／書込端末をＩＣタグ９に付与された固有のＩＤに設定して、この読取／書込端末を配管用ＩＣタグ取付具１Ａに向かってかざし、所望のＩＣタグ９に対し情報の読み取り又は書込みを行う。
【００１５】
以上のように、配管用ＩＣタグ取付具１Ａによれば、所定の厚みを有し絶縁材料からなる内側リング５と外側リング６とにより、ＩＣタグ９を損傷から効果的に保護することができるという効果が得られる。また、配管用ＩＣタグ取付具１Ａは、内側リング５及び外側リング６の切断部７及び開口部８を拡開及び閉口させて弾性変形及び弾性復帰させることにより、配管２に簡便に嵌着させることができるという効果が得られる。
【００１６】
また、絶縁材料からなる内側リング５が、少なくとも配置部Ｔにおいて３ｍｍ以上の厚さ寸法を有しているため、金属製の配管２がＩＣタグ９への情報の読み書きに干渉しない程度の距離を配管２とＩＣタグ９との間に持たせることができ、金属製を含むどのような材質からなる配管２に取り付けられた場合であっても、配管用ＩＣタグ取付具１Ａに保持されたＩＣタグ９の情報を正確に読み取ることができるという効果が得られる。
【００１７】
また、図３に示すように、情報の読み書きをするＩＣタグ９を有する配管２に、他の金属製の配管２が重なっている場合や、配管用ＩＣタグ取付具１Ａの周辺に金属部材が配置されている場合であっても、絶縁材料からなる外側リング６が少なくとも配置部Ｋに対応する部分において３ｍｍ以上の厚さ寸法を有しているため、該他の配管２の金属又はその他の金属部材がＩＣタグ９への情報の読み書きに干渉しない程度の距離を該他の配管２等とＩＣタグ９との間に持たせることができ、所望のＩＣタグ９の情報を正確に読み取ることができる。
【００１８】
また、配管用ＩＣタグ取付具１Ａは、配管２の管本体３の外周面３ａに沿って嵌着されているため、配管用ＩＣタグ取付具１Ａを取り付けた配管２を地中に埋設する際に、埋設作業の邪魔にならず、また、配管用ＩＣタグ取付具１ＡがＩＣタグ９を所定の厚みをもって合成樹脂材料により保護しているため、地面を掘削して配管２を地中から取り出す際にも、ＩＣタグ９を過度に留意することなく作業をすることができるという効果が得られる。
【００１９】
次に、配管用ＩＣタグ取付具１Ａの変形例の配管用ＩＣタグ取付具１Ｂ，１Ｃについて図４，図５を用いて説明する。これらの配管用ＩＣタグ取付具１Ｂ，１Ｃにおいて、上述した配管用ＩＣタグ取付具１Ａと同一の構成については同一の符号を付し、その説明を省略する。
【００２０】
配管用ＩＣタグ取付具１Ｂは、配管用ＩＣタグ取付具１Ａにおける外側リング６に代えて、配置部Ｔに対応する部分にのみ固定部１５が設けられている点で、配管用ＩＣタグ取付具１Ａと異なっている。
固定部１５は、配置部Ｔに固定されるＩＣタグ９を収容し得る凹所１６を有し、ＩＣタグ９の長さ方向の寸法よりも長尺に形成された板状部材により形成されている。
固定部１５の材質としては、弾性変形及び弾性復帰可能とされているか、可撓性のある絶縁材料であればよく、塩化ビニル，ポリエチレン等の合成樹脂材料等が好適に用いられる。
【００２１】
また、固定部１５の外表面１５ｗは、凹所１６にＩＣタグ９を配した際にＩＣタグ９から３ｍｍ以上離間した位置に設けられるよう形成されている。すなわち、固定部１５の厚さ寸法は、３ｍｍ以上とされている。
固定部１５と内側リング５とは、長手方向の一端部１５ａにおいて一体的に連結されており、凹所１６を囲繞する外周縁部において、ＩＣタグ９を収容した状態で内側リング５と接着され、凹所１６が液密に封止されている。
【００２２】
この配管用ＩＣタグ取付具１Ｂは、内側リング５を切断部７において拡開させて配管２に嵌着させるだけで、配管２に確実に取り付けられるとともに、固定部１５の収容部１６にＩＣタグ９を収容した状態で固定部１５が内側リング５に液密に接着されているため、配管用ＩＣタグ取付具１Ａと同様の効果が得られるとともに、配管用ＩＣタグ取付具１Ｂを配管２に配した際に、防食テープ１１の貼着を省略することができるという効果が得られる。
【００２３】
図５に示すように、配管用ＩＣタグ取付具１Ｃは、配管用ＩＣタグ取付具１Ａにおける内側リング５と外側リング６とが一体的に形成されているとともに、配置部ＴにＩＣタグ９を挿入配置する開口部１７が内側リング５及び外側リング６の側端面１９に形成されている点で、配管用ＩＣタグ取付具１Ａと異なっている。
配管用ＩＣタグ取付具１Ｃによれば、開口部１７からＩＣタグ９を挿入配置して開口部１７を接着剤等により封止するか、又は、蓋部材（不図示）で開口部１７を閉じることにより、配管用ＩＣタグ取付具１Ｂと同様の効果が得られる。
【００２４】
なお、上記実施形態の配管用ＩＣタグ取付具１Ａとその変形例である配管用ＩＣタグ取付具１Ｂ，１Ｃにおいて、内側リング５は、内側リング５の切断部７において切り込みを入れ、端部７ａ，７ｂの先端同士が当接して正円を成すように形成されているが、この構成に限られるものではなく、内側リング５で配管２を把持し得る限り、配管用ＩＣタグ取付具１Ａの外側リング６の開口部８のように、一部が切り欠かれて形成されたものであってもよい。
また、配管用ＩＣタグ取付具１Ａ〜１Ｃは、内側リング５の内周面５ｂに接着剤を塗布して配管２に接着固定されていてもよい。
【符号の説明】
【００２５】
１Ａ，１Ｂ，１Ｃ  配管用ＩＣタグ取付具
２    配管
５    内側リング（把持部材）
６    外側リング（固定部）
７    切断部
８    開口部
９    ＩＣタグ
１５  固定部
Ｔ    配置部
【図１】
0005837789.tif 000002
【図２】
0005837789.tif 000003
【図３】
0005837789.tif 000004
【図４】
0005837789.tif 000005
【図５】
0005837789.tif 000006